(57)【要約】【課題】レールに支持されるＩＯユニットの正面の視認性を高めると共にＩＯユニットのメンテナンスを容易にすることができる。【解決手段】配線構造１０は、予め決められた第１方向に延びたレール１６に沿って互いに隣接するように、第１方向と直交する第２方向側からレール１６に設置される複数の配線モジュール２０と、複数の配線モジュール２０に第２方向側から取り付けられることで、複数の配線モジュール２０と電気的に接続されるＩＯユニット１２と、を備え、複数の配線モジュール２０の各々には、第１方向および第２方向と交差する第３方向側の第１面２２ａから第３方向に延びる導線２４ａが接続されている。【選択図】図２
2020126806.tif 000002
【特許請求の範囲】
【請求項１】
予め決められた第１方向に延びたレールに沿って互いに隣接するように、前記第１方向と直交する第２方向側から前記レールに設置される複数の配線モジュールと、
複数の前記配線モジュールに前記第２方向側から取り付けられることで、複数の前記配線モジュールと電気的に接続されるＩＯユニットと、
を備え、
複数の前記配線モジュールの各々には、前記第１方向および前記第２方向と交差する第３方向側の第１面から前記第３方向に延びる導線が接続されている、配線構造。
【請求項２】
請求項１に記載の配線構造であって、
複数の前記配線モジュールの少なくとも１つは、前記ＩＯユニットに電源電圧を供給するための電源用配線モジュールであり、
前記電源用配線モジュールは、自己に接続された前記導線から供給された電源電圧を、前記ＩＯユニットに供給する供給線および隣接する前記配線モジュールに供給する送電線を有する、配線構造。
【請求項３】
請求項１または２に記載の配線構造であって、
複数の前記配線モジュールの少なくとも１つは、前記ＩＯユニットに入出力される信号を伝達するための信号用配線モジュールであり、
前記信号用配線モジュールは、自己に接続された前記導線と前記ＩＯユニットとを接続する入出力線と、隣接する一方の前記配線モジュールから供給された電源電圧を、前記ＩＯユニットに供給する供給線および隣接する他方の前記配線モジュールに供給する送電線とを有する、配線構造。
【請求項４】
請求項３に記載の配線構造であって、
前記信号用配線モジュールは、隣接する一方の前記配線モジュールから供給されたコモン信号を、前記ＩＯユニットに供給するコモン供給線および隣接する他方の前記配線モジュールに供給するコモン送信線を有する、配線構造。
【請求項５】
請求項４に記載の配線構造であって、
前記配線モジュールの１つは、自己に接続された前記導線から供給された前記コモン信号を、隣接する前記配線モジュールに供給するコモン用配線モジュールである、配線構造。
【請求項６】
請求項１〜５のいずれか１項に記載の配線構造であって、
前記配線モジュールには、前記第３方向側の反対側の第２面から前記第３方向の反対方向に延びる導線が接続され、
前記第１方向に沿って延出するケーブルダクトが、前記レールに対して前記第３方向側および前記第３方向側の反対側にそれぞれ設けられ、
前記第１面から延びる前記導線は、前記レールに対して前記第３方向側に設けられた前記ケーブルダクトまで少なくとも延び、前記第２面から延びる前記導線は、前記レールに対して前記第３方向側の反対側に設けられた前記ケーブルダクトまで少なくとも延びている、配線構造。
【請求項７】
請求項１〜５のいずれか１項に記載の配線構造であって、
前記配線モジュールには、前記第３方向側の反対側の第２面から前記第３方向の反対方向に延びる導線が接続され、
前記第１方向に沿って延出するケーブルダクトが、前記レールに対して前記第３方向側に設けられ、
前記配線モジュールと隣接するように第２方向側から前記レールに設置され、隣接する一方の前記配線モジュールから供給された電源電圧を隣接する他方の前記配線モジュールに供給する送電線と、前記導線を貫通させる貫通スペースと、を有する配線スルー用モジュールをさらに備え、
前記第１面から延びる前記導線は、前記ケーブルダクトまで少なくとも延び、前記第２面から延びる前記導線は、前記貫通スペースを貫通して前記ケーブルダクトまで延びている、配線構造。
【請求項８】
請求項１〜５のいずれか１項に記載の配線構造であって、
前記第１方向に沿って延出するケーブルダクトが、前記レールに対して前記第３方向側の反対側に設けられ、
前記配線モジュールと隣接するように第２方向側から前記レールに設置され、隣接する一方の前記配線モジュールから供給された電源電圧を隣接する他方の前記配線モジュールに供給する送電線と、前記導線を貫通させる貫通スペースと、を有する配線スルー用モジュールをさらに備え、
前記第１面から延びる前記導線は、前記貫通スペースを貫通して前記ケーブルダクトまで延びている、配線構造。
【発明の詳細な説明】
【技術分野】
【０００１】
本発明は、ＩＯユニットを配線モジュールに電気的に接続するための配線構造に関する。
【背景技術】
【０００２】
下記に示す特許文献１に記載されているように、ＩＯユニットを取り付けて固定するレールとして、ＤＩＮレールが一般的によく利用されている。ＤＩＮレールは、金属製のレールであり、施工が容易な上、ユニットの着脱が簡単なのでよく使用されている。
【先行技術文献】
【特許文献】
【０００３】
【特許文献１】特開２００８−２６３１４４号公報
【発明の概要】
【発明が解決しようとする課題】
【０００４】
しかし、従来、レールに取り付けられたＩＯユニットからレールに平行に設置されたケーブルダクトへの配線は、ＩＯユニットの正面から延びるように接続される。したがって、配線がＩＯユニットの正面を覆ってしまい、排熱の妨げになったり、ＩＯユニットの正面の表示を隠してしまうという欠点がある。また、ＩＯユニットの交換などのメンテナンスの邪魔になるという問題も生ずる。
【０００５】
そこで、本発明は、レールに支持されるＩＯユニットの正面の視認性を高めると共にＩＯユニットのメンテナンスを容易にする配線構造を提供することを目的とする。
【課題を解決するための手段】
【０００６】
本発明の第１の態様の配線構造は、予め決められた第１方向に延びたレールに沿って互いに隣接するように、前記第１方向と直交する第２方向側から前記レールに設置される複数の配線モジュールと、複数の前記配線モジュールに前記第２方向側から取り付けられることで、複数の前記配線モジュールと電気的に接続されるＩＯユニットと、を備え、複数の前記配線モジュールの各々には、前記第１方向および前記第２方向と交差する第３方向側の第１面から前記第３方向に延びる導線が接続されている。
【発明の効果】
【０００７】
本発明によれば、レールに支持されるＩＯユニットの正面の視認性を高めると共にＩＯユニットのメンテナンスを容易にすることができる。
【図面の簡単な説明】
【０００８】
【図１】実施の形態にかかる配線構造においてＩＯユニットが接続された状態を示す斜視図である。
【図２】実施の形態にかかる配線構造においてＩＯユニットが接続された状態を右側から観た右側面図である。
【図３】配線構造が備える複数の配線モジュールを示す斜視図である。
【図４】図４Ａは、電源用配線モジュールを前側から観た正面図であり、図４Ｂは、電源用配線モジュールを右側から観た右側面図である。
【図５】図５Ａは、信号用配線モジュールを前側から観た正面図であり、図５Ｂは、信号用配線モジュールを右側から観た右側面図である。
【図６】ＩＯユニットからケーブルダクトへの従来の配線構造の様子を説明する図である。
【図７】図７Ａは、変形例１にかかるコモン用配線モジュールを前側から観た正面図であり、図７Ｂは、変形例１にかかるコモン用配線モジュールを右側から観た右側面図である。
【図８】図８Ａは、変形例１にかかる信号用配線モジュールを前側から観た正面図であり、図８Ｂは、変形例１にかかる信号用配線モジュールを右側から観た右側面図である。
【図９】ケーブルダクトがレールの下側のみに設けられている様子を示す斜視図である。
【図１０】変形例２にかかる配線構造からＩＯユニットを外した様子を示す斜視図である。
【図１１】変形例２にかかる配線スルー用モジュールを示す斜視図である。
【図１２】図１２Ａは、変形例２にかかる配線スルー用モジュールを上側から観た上面図であり、図１２Ｂは、変形例２にかかる配線スルー用モジュールを前側から観た正面図であり、図１２Ｃは、変形例２にかかる配線スルー用モジュールを右側から観た右側面図である。
【図１３】変形例３にかかる複数の配線モジュールを示す斜視図である。
【発明を実施するための形態】
【０００９】
本発明にかかる配線構造について、好適な実施の形態を掲げ、添付の図面を参照しながら以下、詳細に説明する。
【００１０】
［実施の形態］
図１は、実施の形態にかかる配線構造１０においてＩＯユニット１２が接続された状態を示す斜視図である。図１に示すように、上方向、下方向、左方向、右方向、前方向、後ろ方向を定める。上下方向、左右方向および前後方向は、互いに直交しているものとする。図２は、実施の形態にかかる配線構造１０においてＩＯユニット１２が接続された状態を右側から観た右側面図である。配線構造１０は、レール１６に設置された複数の配線モジュール２０およびＩＯユニット１２を備える。レール１６の具体例は、ＤＩＮレールである。ＩＯユニット１２は外部との入出力を行うユニットである。図３は、配線構造１０が備える複数の配線モジュール２０を示す斜視図である。図３は、配線モジュール２０にＩＯユニット１２を取り付けていない状態を示している。
【００１１】
図１〜図３に示されるように、予め決められた第１方向（右方向または左方向）にレール１６が延びている。ケーブルダクト１４ａは、レール１６に対して下方向側に設けられ、ケーブルダクト１４ｂは、レール１６に対して上方向側に設けられている。そして、ケーブルダクト１４（１４ａ、１４ｂ）は第１方向に沿って延出している。図３に示されるように、複数の配線モジュール２０は、レール１６に沿って互いに隣接するように、レール１６の前方向側（第２方向側）からレール１６に設置されている。そして、ＩＯユニット１２は、複数の配線モジュール２０に配線モジュール２０の前方向側から取り付けられることで、複数の配線モジュール２０と電気的に接続される。
【００１２】
さらに、複数の配線モジュール２０の各々には、筐体２２の下面２２ａ（第１面）から下方向（第３方向）に延びる導線２４ａが接続されていて、筐体２２の上面２２ｂ（第２面）から上方向（第３方向の反対方向）に延びる導線２４ｂが接続されている。なお、本実施の形態において、第３方向は第１方向および第２方向と直交するとして説明しているが、第３方向は第１方向および第２方向と交差していれば、必ずしも直交していなくてもかまわない。なお、配線モジュール２０に導線２４ａおよび導線２４ｂの必ずしも両方が接続されている必要はなく、片方だけ接続されているのでもかまわない。
【００１３】
そして、下面２２ａから延びる導線２４ａは、ケーブルダクト１４ａまで少なくとも延びていて、上面２２ｂから延びる導線２４ｂは、ケーブルダクト１４ｂまで少なくとも延びている。
【００１４】
図３の複数の配線モジュール２０の１つは、ＩＯユニット１２に電源電圧を供給するための電源用配線モジュール２０ａである。また、図３の複数の配線モジュール２０の残りの３つは、ＩＯユニット１２に入出力される信号を伝達するための信号用配線モジュール２０ｂである。
【００１５】
図４Ａおよび図４Ｂは、電源用配線モジュール２０ａの構成を示す図である。図４Ａは、電源用配線モジュール２０ａを前側から観た正面図であり、図４Ｂは、電源用配線モジュール２０ａを右側から観た右側面図である。
【００１６】
電源用配線モジュール２０ａには、自己に接続された電源線である導線２４ａ、２４ｂから電源電圧が供給される。導線２４ａは、電源用配線モジュール２０ａの筐体２２の下面２２ａから電源用配線モジュール２０ａの筐体２２内部に挿入されていて、電源用配線モジュール２０ａの筐体２２内の配線３０ａと電気的に接続されている。導線２４ａと配線３０ａとを電気的に接続する方法は限定されない。電源用配線モジュール２０ａの筐体２２内部に挿入された導線２４ａを押し込まれたピンによって配線３０ａに機械的に接触させる方法でもよいし、スプリングを用いた方式であってもよいし、ねじで締めつけて結線してもよい。導線２４ｂは、電源用配線モジュール２０ａの筐体２２の上面２２ｂから電源用配線モジュール２０ａの筐体２２内部に挿入されていて、電源用配線モジュール２０ａの筐体２２内の配線３０ｂと電気的に接続されている。導線２４ｂと配線３０ｂとを電気的に接続する方法は、上記と同様に限定されない。
【００１７】
電源用配線モジュール２０ａの正面２２ｃには、ＩＯユニット１２と電気的に接続する電源端子３２ａ、３２ｂが設けられている。そして、電源端子３２ａと配線３０ａとを接続する第１供給線３４ａ、および、電源端子３２ｂと配線３０ｂとを接続する第２供給線３４ｂが電源用配線モジュール２０ａの筐体２２内に設けられている。第１供給線３４ａおよび第２供給線３４ｂからなる供給線３４は、導線２４ａ、２４ｂから供給された電源電圧を、電源端子３２ａ、３２ｂを介してＩＯユニット１２に供給する。なお、電源端子３２ａ、３２ｂおよび供給線３４は、電源用配線モジュール２０ａに設けられていなくてもかまわない。
【００１８】
電源用配線モジュール２０ａの右側面２２ｄには、隣接する配線モジュール２０（図４Ａおよび図４Ｂに示さず）の電源端子と電気的に接続する電源端子３６ａ、３６ｂが設けられている。そして、電源端子３６ａと配線３０ａとを接続する第１送電線３８ａ、および、電源端子３６ｂと配線３０ｂとを接続する第２送電線３８ｂが電源用配線モジュール２０ａの筐体２２内に設けられている。第１送電線３８ａおよび第２送電線３８ｂからなる送電線３８は、導線２４ａ、２４ｂから供給された電源電圧を、電源端子３６ａ、３６ｂを介して隣接する配線モジュール２０に供給する。なお、電源用配線モジュール２０ａは、電源端子３６ａ、３６ｂが左側面２２ｅに設けられる構成であってもよい。
【００１９】
図５Ａおよび図５Ｂは、信号用配線モジュール２０ｂの構成を示す図である。図５Ａは、信号用配線モジュール２０ｂを前側から観た正面図であり、図５Ｂは、信号用配線モジュール２０ｂを右側から観た右側面図である。
【００２０】
信号用配線モジュール２０ｂに接続された導線２４ａ、２４ｂは信号線であり、ＩＯユニット１２に入出力される信号を伝達する。導線２４ａは、信号用配線モジュール２０ｂの下面２２ａから信号用配線モジュール２０ｂの筐体２２内部に挿入されていて、信号用配線モジュール２０ｂの筐体２２内の配線４０ａと電気的に接続されている。導線２４ｂは、信号用配線モジュール２０ｂの上面２２ｂから信号用配線モジュール２０ｂの筐体２２内部に挿入されていて、信号用配線モジュール２０ｂの筐体２２内の配線４０ｂと電気的に接続されている。導線２４ａと配線４０ａとを電気的に接続する方法、および、導線２４ｂと配線４０ｂとを電気的に接続する方法は、導線２４ａと配線３０ａとを電気的に接続する方法と同様に限定されない。
【００２１】
信号用配線モジュール２０ｂの正面２２ｃには、ＩＯユニット１２と電気的に接続可能な電源端子３２ａ、３２ｂに加えて、ＩＯユニット１２と電気的に接続する信号端子４２ａ、４２ｂがさらに設けられている。そして、信号端子４２ａと配線４０ａとを接続する入出力線４４ａ、および、信号端子４２ｂと配線４０ｂとを接続する入出力線４４ｂが信号用配線モジュール２０ｂの筐体２２内に設けられている。したがって、入出力線４４ａは、導線２４ａとＩＯユニット１２とを電気的に接続し、入出力線４４ｂは、導線２４ｂとＩＯユニット１２とを電気的に接続している。
【００２２】
信号用配線モジュール２０ｂの左側面２２ｅには、左側に隣接する一方の配線モジュール２０（図５Ａおよび図５Ｂに示さず）の電源端子３６ａ、３６ｂ、４８ａ、４８ｂと電気的に接続する電源端子４６ａ、４６ｂが設けられている。信号用配線モジュール２０ｂの右側面２２ｄには、右側に隣接する他方の配線モジュール２０（図５Ａおよび図５Ｂに示さず）の電源端子４６ａ、４６ｂと電気的に接続する電源端子４８ａ、４８ｂが設けられている。そして、電源端子４６ａと電源端子４８ａとを接続する第１送電線５０ａ、および、電源端子４６ｂと電源端子４８ｂとを接続する第２送電線５０ｂが信号用配線モジュール２０ｂの筐体２２内に設けられている。これにより、第１送電線５０ａおよび第２送電線５０ｂからなる送電線５０は、隣接する一方の配線モジュール２０から供給された電源電圧を、隣接する他方の配線モジュール２０に供給する。
【００２３】
さらに、第１送電線５０ａの途中から分岐した第１供給線５２ａは電源端子３２ａに接続され、第２送電線５０ｂの途中から分岐した第２供給線５２ｂは電源端子３２ｂに接続されている。これにより、第１供給線５２ａおよび第２供給線５２ｂからなる供給線５２は、隣接する一方の配線モジュール２０から供給された電源電圧を、ＩＯユニット１２に電源端子３２ａ、３２ｂを介して供給する。
【００２４】
図６は、ＩＯユニット１２からケーブルダクト１４への従来の配線構造の様子を説明する図である。図６に示すように、従来、レール１６に設置されたＩＯユニット１２からケーブルダクト１４への配線５４は、ＩＯユニット１２の正面から延びてケーブルダクト１４まで延びていた。これに対して、上記説明した実施の形態にかかる配線構造１０においては、図２および図３に示されるように、ＩＯユニット１２と電気的に接続される複数の配線モジュール２０から上下方向に延びた導線２４ａ、２４ｂがケーブルダクト１４ａ、１４ｂまで延びている。これにより、レール１６に支持されるＩＯユニット１２の正面に導線を接続することが不要となり、ＩＯユニット１２からケーブルダクト１４ａ、１４ｂへの配線を短くすることができる。そして、ＩＯユニット１２からの配線がＩＯユニット１２の正面を覆ったりしないので、排熱が適切に行われ、ＩＯユニット１２の正面の表示の視認性が高まる。また、交換などのＩＯユニット１２のメンテナンスも容易に行うことが可能になる。
【００２５】
［変形例］
上記実施の形態は、以下のように変形してもよい。
【００２６】
（変形例１）
配線構造１０が備える複数の配線モジュール２０の一つはコモン信号が供給されるコモン用配線モジュール２０ｃであってもよい。コモン信号とは、複数のＩＯユニット１２で共通に使用される信号である。図７Ａおよび図７Ｂは、変形例１にかかるコモン用配線モジュール２０ｃの構成を示す図である。図７Ａは、変形例１にかかるコモン用配線モジュール２０ｃを前側から観た正面図であり、図７Ｂは、変形例１にかかるコモン用配線モジュール２０ｃを右側から観た右側面図である。
【００２７】
コモン用配線モジュール２０ｃには、自己に接続されたコモン線である導線２４ａ、２４ｂからコモン信号が供給される。導線２４ａは、コモン用配線モジュール２０ｃの筐体２２の下面２２ａからコモン用配線モジュール２０ｃの筐体２２内部に挿入されていて、コモン用配線モジュール２０ｃの筐体２２内の配線６０の一端と電気的に接続されている。導線２４ｂは、コモン用配線モジュール２０ｃの筐体２２の上面２２ｂからコモン用配線モジュール２０ｃの筐体２２内部に挿入されていて、コモン用配線モジュール２０ｃの筐体２２内の配線６０の他端と電気的に接続されている。導線２４ａまたは導線２４ｂと、配線６０とを電気的に接続する方法は、導線２４ａと配線３０ａとを電気的に接続する方法と同様に限定されない。
【００２８】
コモン用配線モジュール２０ｃの左側面２２ｅには、左側に隣接する一方の配線モジュール２０（図７Ａおよび図７Ｂに示さず）の電源端子３６ａ、３６ｂ、４８ａ、４８ｂと電気的に接続する電源端子４６ａ、４６ｂが設けられている。コモン用配線モジュール２０ｃの右側面２２ｄには、右側に隣接する他方の配線モジュール２０（図７Ａおよび図７Ｂに示さず）の電源端子４６ａ、４６ｂと電気的に接続する電源端子４８ａ、４８ｂに加えて、右側に隣接する他方の配線モジュール２０のコモン端子と電気的に接続するコモン端子６２が設けられている。なお、ここでは、コモン端子６２は、コモン用配線モジュール２０ｃの右側面２２ｄに設けられているとして説明するが、左側面２２ｅに設けられていてもよく、以下の説明は同様に成り立つ。
【００２９】
コモン端子６２は、配線６０の途中から分岐した配線６４に接続されている。したがって、コモン用配線モジュール２０ｃは、自己に接続された導線２４ａ、２４ｂから供給されたコモン信号を、右側に隣接する配線モジュール２０にコモン端子６２を介して供給することができる。
【００３０】
そして、電源端子４６ａと電源端子４８ａとを接続する第１送電線５０ａ、および、電源端子４６ｂと電源端子４８ｂとを接続する第２送電線５０ｂがコモン用配線モジュール２０ｃの筐体２２内に設けられている。第１送電線５０ａおよび第２送電線５０ｂからなる送電線５０は、隣接する一方の配線モジュール２０から供給された電源電圧を、隣接する他方の配線モジュール２０に供給する。
【００３１】
複数の配線モジュール２０がコモン用配線モジュール２０ｃを含んでいる場合、コモン信号は、信号用配線モジュール２０ｂを介してＩＯユニット１２に供給される。この場合の信号用配線モジュール２０ｂの構成を説明する。図８Ａおよび図８Ｂは、変形例１にかかる信号用配線モジュール２０ｂの構成を示す図である。図８Ａは、変形例１にかかる信号用配線モジュール２０ｂを前側から観た正面図であり、図８Ｂは、変形例１にかかる信号用配線モジュール２０ｂを右側から観た右側面図である。
【００３２】
図８Ａおよび図８Ｂの変形例１にかかる信号用配線モジュール２０ｂは、図５Ａおよび図５Ｂの信号用配線モジュール２０ｂが備える構成要素にさらに構成要素が追加されている。以下では、図５Ａおよび図５Ｂの信号用配線モジュール２０ｂに追加された構成要素について説明する。
【００３３】
図８Ａおよび図８Ｂの信号用配線モジュール２０ｂの正面２２ｃには、ＩＯユニット１２と電気的に接続可能なコモン端子７０が設けられている。信号用配線モジュール２０ｂの左側面２２ｅには、左側に隣接する一方の配線モジュール２０（図８Ａおよび図８Ｂに示さず）のコモン端子６２、７４と電気的に接続するコモン端子７２が設けられている。信号用配線モジュール２０ｂの右側面２２ｄには、右側に隣接する他方の配線モジュール２０（図８Ａおよび図８Ｂに示さず）のコモン端子７２と電気的に接続するコモン端子７４が設けられている。
【００３４】
そして、コモン端子７２とコモン端子７４とを接続するコモン送信線７６が信号用配線モジュール２０ｂの筐体２２内に設けられている。これにより、コモン送信線７６は、隣接する一方の配線モジュール２０から供給されたコモン信号を、隣接する他方の配線モジュール２０に供給する。さらに、コモン送信線７６の途中から分岐したコモン供給線７８はコモン端子７０に接続されている。コモン供給線７８は、隣接する一方の配線モジュール２０から供給されたコモン信号を、ＩＯユニット１２にコモン端子７０を介して供給する。これにより、コモン信号を使用する場合でも、レール１６に支持されるＩＯユニット１２の正面の視認性を高めると共にＩＯユニット１２のメンテナンスを容易にすることができる。
【００３５】
（変形例２）
実施の形態では、ケーブルダクト１４（１４ａ、１４ｂ）がレール１６の上下両側に１つずつ設けられているとしたが、片側のみにしか存在しない場合がある。図９は、ケーブルダクト１４がレール１６の下側のみに設けられている様子を示す斜視図である。図９のように、レール１６の下側だけにケーブルダクト１４ａが設けられている場合、配線モジュール２０の上面２２ｂから延びる導線２４ｂは、配線モジュール２０の正面２２ｃを避けてケーブルダクト１４ａまで配線することになる。この場合、導線２４ｂの配線は長くなってしまう。
【００３６】
そこで、変形例２の配線構造１０では、複数の配線モジュール２０の間に配線モジュール２０と隣接するように配線スルー用モジュール８０を設ける。図１０は、変形例２にかかる配線構造１０からＩＯユニット１２を外した様子を示す斜視図である。配線スルー用モジュール８０は、配線モジュール２０と隣接するようにレール１６の前側からレール１６に設置されている。
【００３７】
図１１は、変形例２にかかる配線スルー用モジュール８０を示す斜視図である。図１２Ａ〜図１２Ｃは、変形例２にかかる配線スルー用モジュール８０の構成を示す図である。図１２Ａは、変形例２にかかる配線スルー用モジュール８０を上側から観た上面図であり、図１２Ｂは、変形例２にかかる配線スルー用モジュール８０を前側から観た正面図であり、図１２Ｃは、変形例２にかかる配線スルー用モジュール８０を右側から観た右側面図である。配線スルー用モジュール８０の筐体８２は、本体部８２ａ、前壁部８２ｂおよび側壁部８２ｃを有する。本体部８２ａの正面８２ｄと前壁部８２ｂとは適切に離間しており、正面８２ｄ、前壁部８２ｂおよび側壁部８２ｃに囲まれた空間が導線２４ｂの貫通スペース８４になっている。すなわち、配線スルー用モジュール８０には、導線２４ｂを上下方向に貫通させて通すことができる貫通スペース８４が設けられている。貫通スペース８４の構成は、配線スルー用モジュール８０の左右側に配線モジュール２０が隣接していても、導線２４ｂを貫通させることができるのであれば、上記構成に限定されない。
【００３８】
配線スルー用モジュール８０の本体部８２ａの左側面８２ｅには、左側に隣接する一方の配線モジュール２０（図１２Ａ〜図１２Ｃに示さず）の電源端子３６ａ、３６ｂ、４８ａ、４８ｂおよびコモン端子６２、７４と電気的に接続する電源端子４６ａ、４６ｂおよびコモン端子７２が設けられている。配線スルー用モジュール８０の本体部８２ａの右側面８２ｆには、右側に隣接する他方の配線モジュール２０（図１２Ａ〜図１２Ｃに示さず）の電源端子４６ａ、４６ｂおよびコモン端子７２と電気的に接続する電源端子４８ａ、４８ｂおよびコモン端子７４が設けられている。そして、電源端子４６ａと電源端子４８ａとを接続する第１送電線５０ａ、および、電源端子４６ｂと電源端子４８ｂとを接続する第２送電線５０ｂが配線スルー用モジュール８０の本体部８２ａの左側面８２ｅと右側面８２ｆとの間に設けられている。第１送電線５０ａおよび第２送電線５０ｂからなる送電線５０は、隣接する一方の配線モジュール２０から供給された電源電圧を、隣接する他方の配線モジュール２０に供給することができる。さらに、コモン端子７２とコモン端子７４とを接続するコモン送信線７６が配線スルー用モジュール８０の本体部８２ａの左側面８２ｅと右側面８２ｆとの間に設けられている。コモン送信線７６は、隣接する一方の配線モジュール２０から供給されたコモン信号を、隣接する他方の配線モジュール２０に供給する。なお、配線スルー用モジュール８０にコモン端子７２、７４およびコモン送信線７６が設けられていなくてもかまわない。
【００３９】
配線構造１０に配線スルー用モジュール８０を設けたことにより、配線モジュール２０の筐体２２の上面２２ｂから上方向に延びる導線２４ｂを、図１０に示すように、配線スルー用モジュール８０の貫通スペース８４を貫通させて、ケーブルダクト１４ａまで延ばすことができる。これにより、導線２４ｂを短くすることができる。すなわち、変形例２の配線構造１０によれば、レール１６に対してケーブルダクト１４の設置側とは反対側に延びた配線を、ケーブルダクト１４まで接続しつつ、実施の形態の配線構造１０の上記配線より短くすることができる。なお、配線モジュール２０の筐体２２の下面２２ａから下方向に延びる導線２４ａは存在しなくてもかまわない。この場合、上面２２ｂを第１面とみなし、上方向を第３方向とみなしてもよい。
【００４０】
（変形例３）
配線構造１０が備える複数の配線モジュール２０は、図３に示したものに限られない。図１３は、変形例３にかかる複数の配線モジュール２０を示す斜視図である。複数の配線モジュール２０は、図１３の（ａ）のように互いに隣接する１つの電源用配線モジュール２０ａおよび１つの信号用配線モジュール２０ｂであってもよい。また、複数の配線モジュール２０は、図１３の（ｂ）、（ｃ）または（ｄ）のように互いに隣接する２つ以上の信号用配線モジュール２０ｂであってもよい。
【００４１】
（変形例４）
上記実施の形態および変形例１〜３は、矛盾の生じない範囲で任意に組み合わされてもよい。
【００４２】
［実施の形態から得られる発明］
上記実施の形態から把握しうる発明について、以下に記載する。
【００４３】
（第１の発明）
配線構造（１０）は、予め決められた第１方向に延びたレール（１６）に沿って互いに隣接するように、第１方向と直交する第２方向側からレール（１６）に設置される複数の配線モジュール（２０）と、複数の配線モジュール（２０）に第２方向側から取り付けられることで、複数の配線モジュール（２０）と電気的に接続されるＩＯユニット（１２）と、を備え、複数の配線モジュール（２０）の各々には、第１方向および第２方向と交差する第３方向側の第１面（２２ａ）から第３方向に延びる導線（２４ａ）が接続されている。
【００４４】
これにより、レール（１６）に支持されるＩＯユニット（１２）の正面に導線（２４ａ）を接続することが不要となり、ＩＯユニット（１２）の正面の視認性を高めると共にＩＯユニット（１２）のメンテナンスを容易にすることができる。
【００４５】
複数の配線モジュール（２０）の少なくとも１つは、ＩＯユニット（１２）に電源電圧を供給するための電源用配線モジュール（２０ａ）であってもよい。電源用配線モジュール（２０ａ）は、自己に接続された導線（２４ａ、２４ｂ）から供給された電源電圧を、ＩＯユニット（１２）に供給する供給線（３４）および隣接する配線モジュール（２０）に供給する送電線（３８）を有してもよい。
【００４６】
複数の配線モジュール（２０）の少なくとも１つは、ＩＯユニット（１２）に入出力される信号を伝達するための信号用配線モジュール（２０ｂ）であってもよい。信号用配線モジュール（２０ｂ）は、自己に接続された（２４ａ、２４ｂ）とＩＯユニット（１２）とを接続する入出力線（４４ａ、４４ｂ）と、隣接する一方の配線モジュール（２０）から供給された電源電圧を、ＩＯユニット（１２）に供給する供給線（５２）および隣接する他方の配線モジュール（２０）に供給する送電線（５０）とを有してもよい。
【００４７】
信号用配線モジュール（２０ｂ）は、隣接する一方の配線モジュール（２０）から供給されたコモン信号を、ＩＯユニット（１２）に供給するコモン供給線（７８）および隣接する他方の配線モジュール（２０）に供給するコモン送信線（７６）を有してもよい。これにより、コモン信号を使用する場合でも、レール（１６）に支持されるＩＯユニット（１２）の正面の視認性を高めると共にＩＯユニット（１２）のメンテナンスを容易にすることができる。
【００４８】
配線モジュール（２０）の１つは、自己に接続された導線（２４ａ、２４ｂ）から供給されたコモン信号を、隣接する配線モジュール（２０）に供給するコモン用配線モジュール（２０ｃ）であってもよい。
【００４９】
配線モジュール（２０）には、第３方向側の反対側の第２面（２２ｂ）から第３方向の反対方向に延びる導線（２４ｂ）が接続されてもよい。第１方向に沿って延出するケーブルダクト（１４ａ、１４ｂ）が、レール（１６）に対して第３方向側および第３方向側の反対側にそれぞれ設けられてもよい。第１面（２２ａ）から延びる導線（２４ａ）は、レール（１６）に対して第３方向側に設けられたケーブルダクト（１４ａ）まで少なくとも延び、第２面（２２ｂ）から延びる導線（２４ｂ）は、レール（１６）に対して第３方向側の反対側に設けられたケーブルダクト（１４ｂ）まで少なくとも延びていてもよい。
【００５０】
配線モジュール（２０）には、第３方向側の反対側の第２面（２２ｂ）から第３方向の反対方向に延びる導線（２４ｂ）が接続されてもよい。第１方向に沿って延出するケーブルダクト（１４ａ）が、レール（１６）に対して第３方向側に設けられてもよい。配線モジュール（２０）と隣接するように第２方向側からレール（１６）に設置され、隣接する一方の配線モジュール（２０）から供給された電源電圧を隣接する他方の配線モジュール（２０）に供給する送電線（５０）と、導線（２４ｂ）を貫通させる貫通スペース（８４）と、を有する配線スルー用モジュール（８０）をさらに備えてもよい。第１面（２２ａ）から延びる導線（２４ａ）は、ケーブルダクト（１４ａ）まで少なくとも延び、第２面（２２ｂ）から延びる導線（２４ｂ）は、貫通スペース（８４）を貫通してケーブルダクト（１４ａ）まで延びていてもよい。これにより、レール（１６）に対してケーブルダクト（１４）の設置側とは反対側に延びた配線を、ケーブルダクト（１４）まで接続しつつ、短くすることができる。
【００５１】
第１方向に沿って延出するケーブルダクト（１４ａ）が、レール（１６）に対して第３方向側の反対側に設けられてもよい。配線モジュール（２０）と隣接するように第２方向側からレール（１６）に設置され、隣接する一方の配線モジュール（２０）から供給された電源電圧を隣接する他方の配線モジュール（２０）に供給する送電線（５０）と、導線（２４ｂ）を貫通させる貫通スペース（８４）と、を有する配線スルー用モジュール（８０）をさらに備えてもよい。第１面（２２ｂ）から延びる導線（２４ｂ）は、貫通スペース（８４）を貫通してケーブルダクト（１４ａ）まで延びていてもよい。これにより、レール（１６）に対してケーブルダクト（１４）の設置側とは反対側に延びた配線を、ケーブルダクト（１４）まで接続しつつ、短くすることができる。
【符号の説明】
【００５２】
１０…配線構造                          １２…ＩＯユニット
１４、１４ａ、１４ｂ…ケーブルダクト    １６…レール
２０…配線モジュール                    ２０ａ…電源用配線モジュール
２０ｂ…信号用配線モジュール            ２０ｃ…コモン用配線モジュール
２２、８２…筐体                        ２２ａ…下面
２２ｂ…上面                            ２２ｃ、８２ｄ…正面
２２ｄ、８２ｆ…右側面                  ２２ｅ、８２ｅ…左側面
２４ａ、２４ｂ…導線
３０ａ、３０ｂ、４０ａ、４０ｂ、５４、６０、６４…配線
３２ａ、３２ｂ、３６ａ、３６ｂ、４６ａ、４６ｂ、４８ａ、４８ｂ…電源端子
３４、５２…供給線                      ３４ａ、５２ａ…第１供給線
３４ｂ、５２ｂ…第２供給線              ３８、５０…送電線
３８ａ、５０ａ…第１送電線              ３８ｂ、５０ｂ…第２送電線
４２ａ、４２ｂ…信号端子                ４４ａ、４４ｂ…入出力線
６２、７０、７２、７４…コモン端子      ７６…コモン送信線
７８…コモン供給線                      ８０…配線スルー用モジュール
８２ａ…本体部                          ８２ｂ…前壁部
８２ｃ…側壁部                          ８４…貫通スペース
【図１】
2020126806.tif 000003
【図２】
2020126806.tif 000004
【図３】
2020126806.tif 000005
【図４】
2020126806.tif 000006
【図５】
2020126806.tif 000007
【図６】
2020126806.tif 000008
【図７】
2020126806.tif 000009
【図８】
2020126806.tif 000010
【図９】
2020126806.tif 000011
【図１０】
2020126806.tif 000012
【図１１】
2020126806.tif 000013
【図１２】
2020126806.tif 000014
【図１３】
2020126806.tif 000015